(57)【要約】【課題】少なくとも筐体と、レンズと、赤外線カットフィルターと、ガラス配線基板と、該ガラス配線基板に搭載された固体撮像素子とで構成される固体撮像装置において、ガラス配線基板に搭載された固体撮像素子に横方向から余計な光が進入し、固体撮像素子の作動に悪影響を及ぼすのを防止すると共に、筐体とガラス配線基板の接着工程の簡略化、及びその接着の信頼性を高める。【解決手段】固体撮像素子を搭載したガラス配線基板を位置決め収納する凹部を筐体端部に設けると共に、前記凹部に固体撮像素子を搭載したガラス配線基板を横からスライド挿入させるガイド部を設ける。【選択図】      図３
2004179918.tif 000002
【特許請求の範囲】
【請求項１】
少なくとも筐体と、該筐体に保持されるレンズホルダーと、該レンズホルダー内部に保持されるレンズと、前記筐体内部に保持される赤外線カットフィルターと、ガラス配線基板と、該ガラス配線基板に搭載された固体撮像素子とで構成される固体撮像装置であって、前記筐体に前記固体撮像素子が搭載された前記ガラス配線基板を位置決め収納する凹部を形成した事を特徴とする固体撮像装置。
【請求項２】
少なくとも筐体と、該筐体内部に保持されるレンズと、赤外線カットフィルターと、ガラス配線基板と、該ガラス配線基板に搭載された固体撮像素子と、前記筐体に形成された、前記固体撮像素子が搭載された前記ガラス配線基板を位置決め収納する凹部とで構成される固体撮像装置であって、前記凹部に、前記固体撮像素子が搭載された前記ガラス配線基板を横からスライド挿入させるためのガイド部を設けた事を特徴とする固体撮像装置。
【発明の詳細な説明】
【０００１】
【発明の属する技術分野】
本発明は、固体撮像装置に関するものである。
【０００２】
【従来の技術】
図１は、従来の固体撮像装置を示した図で、（ａ）正面断面図、（ｂ）側面断面図、（ｃ）下面図、（ｄ）下面斜視図である。以下、図１に従い、従来の固体撮像装置の構成について説明する。
【０００３】
レンズホルダー７内部にレンズ６が、レンズストッパー９により固定されており、前記レンズホルダー７はネジ機構８により筐体１にねじ込み固定されている。筐体１の内部には、赤外線カットフィルター２が接着部１０において接着固定されている。筐体１端部には、一体形成型のガイドピン１１が複数設けられており、それを固体撮像素子４が搭載され、Ｆｌｅｘ配線基板５が接着固定されたガラス配線基板３に設けられた抜き穴１２に挿入する事により、前記ガラス配線基板３が位置決めされ、接着剤（図示無し）を介して筐体に接着固定されている。
【０００４】
上述のように、内部にレンズ６を保持したレンズホルダー７は、ネジ機構８により筐体１にねじ込み固定されており、上下移動可能となっている。これは、固体撮像装置製作の最終工程において、レンズと固体撮像素子間の距離を変える事により、レンズの焦点調整を行うためである。
【０００５】
【発明が解決しようとする課題】
以上のように従来技術においては、固体撮像素子が配線基板の下面に取り付けられるため、配線基板には透明なガラス基板を用いており、入射光はガラス基板を透過して固体撮像素子に入射する。しかし、この構成ではガラス配線基板に横方向から余計な光が進入し、結果的として固体撮像素子の作動に悪影響を及ぼす可能性がある。
【０００６】
また、筐体にガラス配線基板を接着する際には、筐体を下向き（レンズを下向き、赤外線カットフィルターを上向き）に置き、固体撮像素子が搭載されたガラス配線基板を位置決め、固定した後、四方向に渡り接着剤を塗布し、筐体に接着している。この方法によると、筐体に対しガラス配線基板を水平に接着出来ない場合が多く、更に接着剤が硬化するまで治具等によりガラス配線基板が筐体から浮かないようにしなければならない。
【０００７】
本発明は、ガラス配線基板に搭載された固体撮像素子に横方向からの余計な光が進入するのを防止すると共に、筐体とガラス配線基板の接着工程の簡略化、及びその接着の信頼性を高めた構成の固体撮像装置を提供する事を目的とする。
【０００８】
【課題を解決するための手段】
少なくとも筐体と、該筐体に保持されるレンズホルダーと、該レンズホルダー内部に保持されるレンズと、前記筐体内部に保持される赤外線カットフィルターと、ガラス配線基板と、該ガラス配線基板に搭載された固体撮像素子とで構成される固体撮像装置であって、前記筐体に前記固体撮像素子が搭載された前記ガラス配線基板を位置決め収納する凹部を形成した事を特徴とする固体撮像装置とする。
【０００９】
少なくとも筐体と、該筐体内部に保持されるレンズと、赤外線カットフィルターと、ガラス配線基板と、該ガラス配線基板に搭載された固体撮像素子と、前記筐体に形成された、前記固体撮像素子が搭載された前記ガラス配線基板を位置決め収納する凹部とで構成される固体撮像装置であって、前記凹部に、前記固体撮像素子が搭載された前記ガラス配線基板を横からスライド挿入させるためのガイド部を設けた事を特徴とする固体撮像装置とする。
【００１０】
【発明の実施の形態】
図２は、本発明の第１実施形態である請求項１記載の固体撮像装置を示した図で、（ａ）正面断面図、（ｂ）側面断面図、（ｃ）下面図、（ｄ）下面斜視図である。  以下、図２に従い、本発明の第１実施形態である請求項１記載の固体撮像装置について説明する。
【００１１】
レンズホルダー１９内部にレンズ１８が、レンズストッパー２１により固定されており、前記レンズホルダー１９はネジ機構２０により筐体１３にねじ込み固定されている。筐体１３内部には、赤外線カットフィルター１４が接着部２２において接着固定されており、その下側の筐体１３端部には、ガラス配線基板１５に横方向から余計な光が進入するのを防止するための凹部２３が形成されている。そして、固体撮像素子１６が搭載され、Ｆｌｅｘ配線基板１７が接着固定されたガラス配線基板１５が、前記凹部２３に位置決めされ、前記凹部に塗布された接着剤２４を介して接着固定されている。
【００１２】
ガラス配線基板１５を筐体１３に接着する際は、筐体１３を下向き（レンズを下向き、赤外線カットフィルターを上向き）に置き、固体撮像素子１６が搭載されたガラス配線基板１５を凹部２３に位置決めした後、前記凹部２３に接着剤２４を塗布し、治具等により接着剤が固化するまで固定する。
【００１３】
ガラス配線基板１５を筐体１３に接着する際の接着剤塗布位置は、凹部２３全体であっても部分的であっても構わず、十分な接着強度が得られ、受光領域に影響を及ぼさない範囲内であれば、その塗布量や塗布位置についての特別な限定は無い。
【００１４】
また、凹部の形状に関しても、余計な光の進入を防止出来るのであればどのような形状でも構わず、特に限定は無い。
【００１５】
赤外線カットフィルター１４は、透明基板に赤外線を遮断するフィルター膜が蒸着された構成になっている。そのため、筐体１３に赤外線カットフィルター１４を接着する際、蒸着面を接着面にすると十分な接着強度が得られない事があるため、蒸着面と反対の面を接着面とする事が望ましい。
【００１６】
また、接着剤塗布量のばらつきにより、接着剤が赤外線カットフィルター１４の受光領域にはみ出すのを防止するため、接着部２２又は、その周辺の筐体部分に溝部（図示無し）を設け、余分な接着剤を溜める構成としても良い。
【００１７】
図３は、本発明の第２実施形態である請求項２記載の固体撮像装置を示した図で、（ａ）正面断面図、（ｂ）側面断面図、（ｃ）下面図、（ｄ）下面斜視図である。  以下、図３に従い、本発明の第２実施形態である請求項２記載の固体撮像装置について説明する。
【００１８】
基本的な構成は、第１実施形態と同様である。特徴としては、ネジ機構を無くし、レンズホルダーと筐体を一体形成すると共に、筐体２５に形成された凹部２８に、固体撮像素子２７が搭載されたガラス配線基板２６をスライド挿入させるためのガイド部２９を設けた事である。筐体２５にガラス配線基板２６を接着させる際には、まず、前記ガイド部２９に沿って固体撮像素子２７が搭載されたガラス配線基板２６を筐体２５の凹部２８にスライド挿入し、位置決めをする。挿入が終わり位置決めが完了したら、接着剤３０を挿入口付近に塗布し、固定する。
【００１９】
接着剤の塗布位置は、必ずしも上述のようにする必要は無く、第１実施形態の場合と同様に、十分な接着強度が得られ、受光領域に影響を及ぼさない範囲内であれば、その塗布量や塗布位置についての特別な限定は無い。
【００２０】
ガイド部の形状に関しても、ガラス配線基板の安定した挿入、位置決めが出来るのであれば、どのような形状でも構わず、特に限定は無い。
【００２１】
また、赤外線カットフィルターの接着部に溝部を設ける等、第１実施形態で述べた内容の構成は、第２実施形態においても実施可能である事は言うまでも無い。
【００２２】
【発明の効果】
請求項１記載の発明においては、筐体に凹部を設け、そこに固体撮像素子を搭載したガラス配線基板を収納する事により、横方向からの余計な光が固体撮像素子に進入するのを防止する事が出来る。また、請求項２記載の発明においては、筐体に形成された凹部に、固体撮像素子が搭載されたガラス配線基板を横からスライド挿入するためのガイド部を設ける事により、接着工程を簡略化する事が出来る。
【００２３】
更に、従来技術において問題となっていた、筐体とガラス配線基板の接着時におけるガラス配線基板の浮きや傾きのばらつきを抑制する事が出来るため、レンズの焦点調整をする必要が無くなり、ネジ機構が不要となるため、結果的にその分の部品数を減らす事が出来る。
【図面の簡単な説明】
【図１】従来例の固体撮像装置を示した図で、（ａ）正面断面図、（ｂ）側面断面図、（ｃ）下面図、（ｄ）下面斜視図である。
【図２】本発明の第１実施形態を示した図で、（ａ）正面断面図、（ｂ）側面断面図、（ｃ）下面図、（ｄ）下面斜視図である。
【図３】本発明の第２実施形態を示した図で、（ａ）正面断面図、（ｂ）側面断面図、（ｃ）下面図、（ｄ）下面斜視図である。
【符号の説明】
１    筐体
２    赤外線カットフィルター
３    ガラス配線基板
４    固体撮像素子
５    Ｆｌｅｘ配線基板
６    レンズ
７    レンズホルダー
８    ネジ機構
９    レンズストッパー
１０    接着部
１１    ガイドピン
１２    抜き穴
１３    筐体
１４    赤外線カットフィルター
１５    ガラス配線基板
１６    固体撮像素子
１７    Ｆｌｅｘ配線基板
１８    レンズ
１９    レンズホルダー
２０    ネジ機構
２１    レンズストッパー
２２    接着部
２３    凹部
２４    接着剤
２５    筐体
２６    ガラス配線基板
２７    固体撮像素子
２８    凹部
２９    ガイド部
３０    接着剤
【図１】
2004179918.tif 000003
【図２】
2004179918.tif 000004
【図３】
2004179918.tif 000005